(57)【特許請求の範囲】
【請求項１】
塔状構造物が挿通可能な挿通部を有する架台と、
この架台上に設置され、前記挿通部を挿通して前記架台上に露出した前記塔状構造物を解体するための解体手段と、
前記架台に設けられ、塔状構造物の外壁に対し、前記架台を支持させるための支持手段と、
前記架台または前記支持手段に一端が連結され、塔状構造物の周方向に複数設けられる上下方向伸縮動作手段と、
塔状構造物の周方向に隣り合う上下方向伸縮動作手段の他端を互いに連結して塔状構造物を取り囲む複数の横方向伸縮動作手段と、
これら塔状構造物を取り囲む全ての横方向伸縮動作手段と前記上下方向伸縮動作手段との連結部に設けられ、塔状構造物の外壁に対し固定可能な固定部材と、
を備えることを特徴とする塔状構造物の解体装置。
【請求項２】
前記複数の横方向伸縮動作手段は、同期制御されることを特徴とする請求項１に記載の塔状構造物の解体装置。
【請求項３】
前記上下方向伸縮動作手段は、前記架台または前記支持手段と前記横方向伸縮動作手段とに、屈曲可能な継手によってそれぞれ連結されていることを特徴とする請求項１または請求項２に記載の塔状構造物の解体装置。
【請求項４】
前記支持手段の塔状構造物の外壁に対する支持部材と前記固定部材とには、前記外壁に食い込み可能な突起部が形成されていることを特徴とする請求項１から請求項３のいずれか一項に記載の塔状構造物の解体装置。
【請求項５】
前記解体手段による解体状況を監視する監視手段と、
前記解体手段を遠隔操作する遠隔操作手段とを備えたことを特徴とする請求項１から請求項４のいずれか一項に記載の塔状構造物の解体装置。
【請求項６】
前記架台には、その外周および上部を囲うカバー部材を設けたことを特徴とする請求項１から請求項５のいずれか一項に記載の塔状構造物の解体装置。
【請求項７】
前記塔状構造物は鉄筋コンクリート構造の煙突であり、
前記解体手段は、コンクリートを粉砕するコンクリート粉砕手段と、鉄筋を切断する鉄筋切断手段とを有することを特徴とする請求項１から請求項６のいずれか一項に記載の塔状構造物の解体装置。
【発明の詳細な説明】
【０００１】
【発明の属する技術分野】
本発明は、例えば、煙突等のような塔状構造物の解体に好適に用いることができる塔状構造物の解体装置に関する。
【０００２】
【従来の技術】
従来、例えば煙突のような塔状構造物の解体には、ブロック解体方法、転倒解体方法等が用いられている。ブロック解体方法は、塔状構造物の周囲に足場を構築し、この足場を利用して塔状構造物を所定大きさ毎に切断し、これを外部に設置したクレーン等で吊り上げて解体する方法である。また、転倒解体方法は、塔状構造物に巻かれたワイヤによる牽引や塔状構造物の下部に爆薬を配備して転倒させる工法である。
【０００３】
しかしながら、ブロック解体方法では、足場を高所まで構築する必要があり、工期短縮の妨げとなるとともに工費が増大し、さらに特に強風時等においては問題が多い。一方、転倒解体工法では、塔状構造物の周囲に多くの敷地が必要であるとともに、近隣に対する安全の配慮や騒音や振動の対策も必要となる。そこで、塔状構造物の周囲に多くの敷地を必要とせず、足場等を構築する必要のない解体方法が必要とされていた。
【０００４】
上記事情に鑑みてなされた特開平０６−０１７５４３号公報に記載の解体装置は、煙突等の塔状構造物に対して昇降可能な昇降装置を備える解体装置である。この解体装置は昇降装置によって塔状構造物に対して昇降可能であるため、足場を構築する必要がなく、また、周囲に多くの敷地を必要としない。
【０００５】
【発明が解決しようとする課題】
ところで、前記公報等に記載の昇降装置は、一般に以下のような構成となっている。すなわち、前記昇降装置は、煙突等の塔状構造物に架台を支持させるための支持装置が上部と下部とに設けられ、さらに、上部の支持装置と下部の支持装置とを連結する伸縮装置が設けられて構成される。これら支持装置は、前記外壁を押圧することで、摩擦力によって塔状構造物に支持される。そして、上部の支持装置の押圧部材と下部の支持装置の押圧部材とのうち、いずれか一方が前記外壁から離間した状態で前記伸縮装置が伸縮することで前記外壁を昇降可能である。
【０００６】
例えば図５に示す、前記した支持装置５１は、一般に煙突Ａの外壁Ａ１に対して複数の方向から押圧可能となる複数のシリンダ装置５１ａが煙突Ａに対して放射状に設けられて構成される。なお、シリンダ装置５１ａのシリンダ５１ａ１から突出可能なピストン５１ａ２の先端部には、煙突Ａの外壁Ａ１を押圧可能な押圧部材５１ａ３が取り付けられている。
【０００７】
ところで、煙突Ａにおいては一般に頂部より底部が大径に設計されている。したがって、この煙突Ａを前記昇降する際には、頂部から底部にかけて変化する径に対応する必要がある。前記公報等に記載の昇降装置は、ピストン５１ａ２のシリンダ５１ａ１からの突出長さを調整することで、変化する径に対応している。したがって、煙突Ａの頂部等、径が小さい場合においては、ピストン５１ａ２をシリンダ５１ａ１から長く突出させる必要がある。しかしながら、このピストン５１ａ２は、先端部の押圧部材５１ａ３に鉛直方向の力が作用する片持ち構造となるため、長く突出させた場合、ピストン５１ａ２の基端部Ｘ、さらに、このピストン５１ａ２を支持するシリンダ５１ａ１の先端部Ｙには極めて大きなモーメントが生じてしまう。これにより、ピストン５１ａ２の基端部Ｘまたはシリンダ５１ａ１の先端部Ｙが破損してしまうことが懸念され、安定的に煙突Ａの解体を行えないことが指摘されてきた。
【０００８】
本発明の課題は、煙突等の塔状構造物の解体を、その径の変化に対応しながら安定的に行うことを可能とする塔状構造物の解体装置を提供することである。
【０００９】
【課題を解決するための手段】
上記課題を解決するため、請求項１に記載の発明は、例えば図１〜図３に示すように、
塔状構造物（煙突ａ）が挿通可能な挿通部を有する架台２１と、
この架台２１上に設置され、前記挿通部を挿通して前記架台２１上に露出した前記塔状構造物（煙突ａ）を解体するための解体手段（コンクリート圧砕機２２ａ、鉄筋切断機２２ｂ）と、
前記架台２１に設けられ、塔状構造物（煙突ａ）の外壁ａ１に対し、前記架台２１を支持させるための支持手段（上部シリンダ装置１１ａ）と、
前記架台２１または前記支持手段（上部シリンダ装置１１ａ）に一端が連結され、塔状構造物（煙突ａ）の周方向に複数設けられる上下方向伸縮動作手段（連結シリンダ装置１３ａ）と、
塔状構造物（煙突ａ）の周方向に隣り合う上下方向伸縮動作手段（連結シリンダ装置１３ａ）の他端を互いに連結して塔状構造物を取り囲む複数の横方向伸縮動作手段（下部シリンダ装置１２ａ）と、
これら塔状構造物を取り囲む全ての横方向伸縮動作手段（下部シリンダ装置１２ａ）と前記上下方向伸縮動作手段（連結シリンダ装置１３ａ）との連結部（下部連結部１３ｃ）に設けられ、塔状構造物（煙突ａ）の外壁ａ１に対し固定可能な固定部材（下部押圧部材１２ａ３）と、
を備えることを特徴としている。
【００１０】
請求項１に記載の発明によれば、前記架台または前記支持手段に一端が連結される上下方向伸縮動作手段が、塔状構造物の周方向に複数設けられる。そして、前記上下方向伸縮動作手段の他端を互いに連結する複数の横方向伸縮動作手段によって、塔状構造物が周囲から囲われる。そして、前記横方向伸縮動作手段が伸縮動作することで、これら塔状構造物を取り囲む全ての横方向伸縮動作手段と前記上下方向伸縮動作手段との連結部に設けられた固定部材を、塔状構造物の外壁に対して固定することが可能である。
すなわち、塔状構造物に対して架台を支持させるための支持装置を上部と下部とに備えた、いわゆる尺取虫方式の塔状構造物の解体装置において、下部の支持装置を、複数の前記横方向伸縮動作手段と前記固定部材とで構成できる。そして、各横方向伸縮動作手段を伸縮動作させることで、前記固定部材による塔状構造物の外壁の押圧、および、前記外壁からの離間を行うことができる。したがって、下部の支持装置を、従来のように、塔状構造物に対して放射状に伸縮装置を配して構成する必要がなく、この場合における伸縮装置の破損が防止される。したがって、塔状構造物の解体を、その径の変化に対応しながら、従来に比して安定的に行うことができる。
【００１１】
なお、請求項１に記載の発明によれば、前記架台上に設置された解体手段によって架台上に露出した塔状構造物を解体することができるため、塔状構造物の周囲に足場を構築する必要がない。また、架台が有する挿通部によって、架台の位置が略確定して安定するとともに解体手段によって解体した解体物の落下範囲が限定される。
【００１２】
前記塔状構造物としては、例えば、鉄筋コンクリート構造の煙突等が挙げられる。
【００１３】
前記解体手段は、前記塔状構造物を昇降可能となるように比較的軽量に構成することが望ましい。しかし、昇降装置の性能や塔状構造物の規模等によっては、地上等で使用される一般のコンクリート圧砕機や鉄筋切断機を前記架台上に設置することもできる。なお、前記解体手段は遠隔操作可能に構成することが望ましい。
【００１４】
前記解体装置による塔状構造物の解体方法としては、地上で前記架台を組み立てた後、この架台を塔状構造物の頂部まで上昇させる。そして、前記解体手段によって塔状構造物を解体しながら、段階的に架台を下降させていけばよい。
【００１５】
請求項２に記載の発明は、例えば図１、図２に示すように、請求項１に記載の塔状構造物（煙突ａ）の解体装置２０において、
前記複数の横方向伸縮動作手段（下部シリンダ装置１２ａ）は、同期制御されることを特徴としている。
【００１６】
請求項２に記載の発明によれば、前記複数の横方向伸縮動作手段は、同期制御されるので、各横方向伸縮動作手段の伸縮長さを一定にして、前記固定部材による塔状構造物の外壁に対する固定をさらに安定的に行うことできる。
【００１７】
前記複数の横方向伸縮動作手段を同期制御する方法としては、例えば、これら横方向伸縮動作手段を媒体を介して伸縮するシリンダ装置で構成し、これらのシリンダ装置の媒体系統を連通しておけばよい。
【００１８】
請求項３に記載の発明は、例えば図１に示すように、請求項１または請求項２に記載の塔状構造物（煙突ａ）の解体装置２０において、
前記上下方向伸縮動作手段（連結シリンダ装置１３ａ）は、前記架台２１または前記支持手段（上部シリンダ装置１１ａ）と前記横方向伸縮動作手段（下部シリンダ装置１２ａ）とに、屈曲可能な継手（ユニバーサルジョイント１３ｂ１、ピンジョイント１３ｃ１）によってそれぞれ連結されていることを特徴としている。
【００１９】
請求項３に記載の発明によれば、前記横方向伸縮動作手段の伸縮動作が、前記屈曲可能な継手によって前記架台または前記支持手段と前記横方向伸縮動作手段とに連結される連結シリンダが傾倒することで安定的に行われる。したがって、前記固定部材による塔状構造物の外壁に対する固定をさらに安定的に行うことできる。
【００２０】
請求項４に記載の発明は、例えば図４に示すように、請求項１〜請求項３のいずれか一項に記載の塔状構造物（煙突ａ）の解体装置２０において、
前記支持手段（上部シリンダ装置１１ａ）の塔状構造物（煙突ａ）の外壁ａ１に対する支持部材（上部押圧部材１１ａ３）と前記固定部材（下部押圧部材１２ａ３）とには、前記外壁ａ１に食い込み可能な突起部１１ａ４、１２ａ４が形成されていることを特徴としている。
【００２１】
請求項４に記載の発明によれば、前記支持部材と前記固定部材に形成された前記突起部が塔状構造物の外壁に食い込むことで、前記支持部材や前記固定部材による塔状構造物の外壁に対する固定をさらに安定的に行うことできる。
【００２２】
請求項５に記載の発明は、例えば図１に示すように、請求項１〜請求項４のいずれか一項に記載の塔状構造物（煙突ａ）の解体装置２０において、
前記解体手段（コンクリート圧砕機２２ａ、鉄筋切断機２２ｂ）による解体状況を監視する監視手段（監視カメラ２４）と、
前記解体手段（コンクリート圧砕機２２ａ、鉄筋切断機２２ｂ）を遠隔操作する遠隔操作手段とを備えたことを特徴としている。
【００２３】
請求項５に記載の発明によれば、前記監視手段と前記遠隔操作装置とを用いて前記解体手段を遠隔操作することで前記塔状構造物を解体できるため、作業員の高所作業がなくなり塔状構造物の解体をさらに安定的に行うことができる。
【００２４】
請求項６に記載の発明は、例えば図１に示すように、請求項１〜請求項５のいずれか一項に記載の塔状構造物（煙突ａ）の解体装置２０において、
前記架台２１には、その外周および上部を囲うカバー部材２３（鋼管パイプ２３ａ、防音パネル２３ｂ、折板屋根２３ｃ、ジャバラ屋根２３ｄ）を設けたことを特徴としている。
【００２５】
請求項６に記載の発明によれば、前記カバー部材によって、前記解体手段によって解体されて生じた解体物の前記架台からの飛散が防止されるとともに、解体作業において発生する振動音等の防音対策も行われる。したがって、塔状構造物の解体をさらに安定的に行うことができる。
【００２６】
請求項７に記載の発明は、例えば図１に示すように、請求項１〜請求項６のいずれか一項に記載の塔状構造物（煙突ａ）の解体装置２０において、
前記塔状構造物は鉄筋コンクリート構造の煙突ａであり、
前記解体手段は、コンクリートを粉砕するコンクリート粉砕手段（コンクリート圧砕機２２ａ）と、鉄筋を切断する鉄筋切断手段（鉄筋切断機２２ｂ）とを有することを特徴としている。
【００２７】
請求項７に記載の発明によれば、前記コンクリート粉砕手段によってコンクリートを粉砕し、前記鉄筋切断手段によって鉄筋を切断することで、塔状構造物である鉄筋コンクリート構造の煙突を小割ブロックにして解体できる。すなわち、煙突の解体後に小割ブロックとする工程を省いて煙突の解体作業をより効率的に行うことができる。
【００２８】
【発明の実施の形態】
以下、図１〜図５を参照して、本発明である塔状構造物の解体装置の実施の形態について詳細に説明する。図１において符号２０は解体装置を示す。
【００２９】
本発明に係る解体装置２０は、鉄筋コンクリート構造の煙突ａを解体するために用いられる。解体装置２０は、図１に示すように、上部架台２１ａと下部架台２１ｂとを備える架台２１、この架台２１を煙突ａ（塔状構造物）に対して昇降させる、いわゆる尺取虫方式の昇降装置１０、架台２１上に設けられ、煙突ａを解体するコンクリート圧砕機２２ａ（解体手段）、鉄筋切断機２２ｂ（解体手段）、架台２１や煙突ａを包囲するように設けられるカバー部材２３、解体状況を監視する監視カメラ２４（監視手段）、解体部を照明する電球２５ａや蛍光灯２５ｂ、解体部に水を噴霧する噴霧装置２６、コンクリート圧砕機２２ａ、鉄筋切断機２２ｂを遠隔操作するための図示しない遠隔操作装置等によって概略構成されている。
【００３０】
昇降装置１０は、上部架台２１ａに取り付けられ、上部支持装置１１、下部支持装置１２、連結伸縮装置１３とから構成される。
【００３１】
上部支持装置１１は、図２に示すように、油圧シリンダである４本の上部シリンダ装置１１ａ（支持手段）によって構成されている。これら上部シリンダ装置１１ａは、煙突ａに対して放射状に配されるように、上部架台２１ａに取り付けられている。上部シリンダ装置１１ａは、さらに、上部架台２１ａに固定されるシリンダ１１ａ１、シリンダ１１ａ１から突出可能なピストン１１ａ２とから構成され、ピストン１１ａ２の先端部には、鉄板から構成される上部押圧部材１１ａ３（支持部材）が取り付けられている。なお、この上部押圧部材１１ａ３には、煙突ａの外壁ａ１に面するように、鋼材から構成される突起部１１ａ４が、複数連続するように形成されている。
【００３２】
下部支持装置１２は、図３に示すように、油圧シリンダである４本の下部シリンダ装置１２ａ（横方向伸縮動作手段）によって構成されている。これら下部シリンダ装置１２ａは、全体として矩形リング１２ｂとなるように互いに連結され、煙突ａを周囲から囲うように設けられている。下部シリンダ装置１２ａは、さらにシリンダ１２ａ１、シリンダ１２ａ１から突出可能なピストン１２ａ２とから構成され、４本の下部シリンダ装置１２ａの油圧系統は連通されている。矩形リング１２ｂは、各下部シリンダ装置１２ａが伸縮することで拡大・縮小可能である。この矩形リング１２ｂの、４ヶ所の連結シリンダ装置１３ａとの連結部には、それぞれ鉄骨部材１２ａ５を介して、鉄板から構成される下部押圧部材１２ａ３（固定部材）が取り付けられている。なお、この下部押圧部材１２ａ３には、煙突ａの外壁ａ１に面するように、鋼材から構成される突起部１２ａ４が、複数連続するように形成されている。すなわち、下部シリンダ装置１２ａが伸縮することで矩形リング１２ｂが拡大・縮小し、これにより、矩形リング１２ｂに鉄骨部材１２ａ５を介して取り付けられている下部押圧部材１２ａ３は、煙突ａの外壁ａ１との間隔を調整可能である。
【００３３】
連結伸縮装置１３は、図１に示すように、油圧シリンダである４本の連結シリンダ装置１３ａ（上下方向伸縮動作手段）によって構成されている。これら連結シリンダ装置１３ａは、上部架台２１ａと下部シリンダ装置１２ａとを連結しており、これにより、下部シリンダ装置１２ａが連結シリンダ装置１３ａによって上部架台２１ａから吊り下げられた状態となっている。
なお、連結シリンダ装置１３ａと上部架台２１ａとは、上部連結部１３ｂにおいてユニバーサルジョイント１３ｂ１によって全方向に回動可能に連結されている。これに対して、連結シリンダ装置１３ａと下部シリンダ装置１２ａとは、下部連結部１３ｃにおいてピンジョイント１３ｃ１によって、１方向に回動可能に連結されている。
【００３４】
架台２１は、図１に示すように、根太、大引等の鉄骨梁に鋼鈑が溶接またはボルト固定されて構成される上部架台２１ａや下部架台２１ｂ、上部架台２１ａと下部架台２１ｂとを所定間隔で繋ぐアングル材等からなる連結部材２１ｃ等から構成される。
【００３５】
上部架台２１ａは、挿通部において煙突ａを挿通しており、後述するコンクリート圧砕機２２ａ、鉄筋切断機２２ｂが設けられている。また、上部架台２１ａには、安全柵２１ａ１、昇降ハッチ２１ａ２、昇降タラップ２１ａ３等が備えられている。
【００３６】
下部架台２１ｂは、挿通部において煙突ａを挿通しており、安全柵２１ｂ１、油圧ユニット２１ｂ２、発電機２１ｂ３、接地可能な脚部２１ｂ４等が備えられている。
【００３７】
コンクリート圧砕機２２ａは、架台２１上に設置され、図示しない遠隔操作装置を操作することによって駆動して鉄筋コンクリート構造の煙突ａのコンクリートを圧砕する。なお、コンクリート圧砕機２２ａは、上部架台２１ａに、鉛直に回動可能かつ水平に３６０度旋回可能に固定されるブーム部２２ａ１と、このブーム部２２ａ１に回動可能に連結されるアーム部２２ａ２と、このアーム部２２ａ２に回動可能に連結される圧砕部２２ａ３とによって、比較的軽量に構成されている。
【００３８】
鉄筋切断機２２ｂは、架台２１上に設置され、図示しない遠隔操作装置を操作することによって駆動して鉄筋コンクリート構造の煙突ａの鉄筋を切断する。なお、鉄筋切断機２２ｂは、上部架台２１ａに、鉛直に回動可能かつ水平に３６０度旋回可能に固定されるブーム部２２ｂ１と、このブーム部２２ｂ１に回動可能に連結されるアーム部２２ｂ２と、このアーム部２２ｂ２に回動可能に連結される切断部２２ｂ３とによって、比較的軽量に構成されている。
【００３９】
カバー部材２３は、骨組みを形成する鋼管パイプ２３ａ、壁部を構成する防音パネル２３ｂ、屋根部を構成する折板屋根２３ｃやジャバラ屋根２３ｄ等から構成されている。なお、ジャバラ屋根２３ｄは、遠隔操作することによって開閉可能に構成されている。
【００４０】
監視カメラ２４はカバー部材２３を構成する防音パネル２３ｂに取り付けられており、コンクリート圧砕機２２ａ、鉄筋切断機２２ｂによる煙突ａの解体状況を監視する。
【００４１】
電球２５ａおよび蛍光灯２５ｂは、カバー部材２３を構成する折板屋根２３ｃに取り付けられており、解体部の照明を行う。
【００４２】
噴霧装置２６は、カバー部材２３を構成する折板屋根２３ｃに取り付けられており、解体部に水を噴霧することにより、解体作業によって生じる粉塵等を低減する。
【００４３】
以上のように構成された解体装置２０による煙突ａの解体方法を以下に説明する。
【００４４】
［架台組み立て工程］
先ず、地上において架台２１を組み立てる。架台２１は、上部架台２１ａと下部架台２１ｂとを、それぞれの挿通部に煙突ａを挿通した状態で連結部材２１ｃで連結して組み立てる。この際、下部架台２１ｂに備えられている脚部２１ｂ４を接地させる。そして、上部架台２１ａ上にコンクリート圧砕機２２ａ、鉄筋切断機２２ｂ等を設けた後、この上部架台２１ａの側部を、カバー部材２３である鋼管パイプ２３ａ、防音パネル２３ｂによって包囲する。なお、上部架台２１ａの上部には、折板屋根２３ｃを取り付け、この折板屋根２３ｃに開閉可能なジャバラ屋根２３ｄを開いた状態で設けておく。
【００４５】
［架台上昇工程］
次に、架台２１を昇降装置１０によって煙突ａの頂部まで上昇させ、煙突ａの頂部に位置した状態でジャバラ屋根２３ｄを閉める。なお、この頂部に位置した状態においては、上部シリンダ装置１１ａ、下部シリンダ装置１２ａ、連結シリンダ装置１３ａのいずれもが収縮した状態となっている。すなわち、煙突ａの外壁ａ１が上部押圧部材１１ａ３および下部押圧部材１２ａ３によって押圧され、下部シリンダ装置１２ａは上部架台２１ａに近付いた状態である。なお、架台２１上昇させる方法としては、従来一般のいわゆる尺取虫方式の昇降装置と同様である。架台２１を上昇させる方法は、後述する［架台下降工程］における下降させる方法と類似するので説明を省略する。
【００４６】
［煙突解体工程］
次に、上部架台２１ａ上に設けられた、コンクリート圧砕機２２ａ、鉄筋切断機２２ｂによって、上部架台２１ａ上に露出した煙突ａの解体を行う。なお、この解体作業は、監視カメラ２４によって監視される解体状況を監視しながら、図示しない遠隔操作装置を操作することによって行う。また、煙突ａの解体部には噴霧装置２６によって水を噴霧し、解体作業によって生じる粉塵等を低減する。
【００４７】
なお、煙突ａを解体することによって生じるガラは、煙突ａの中空部を落下させて底部に蓄積する。蓄積されたガラは、煙突ａの最下部に形成された図示しない開口部から、地上に設置した図示しないバックホーによって取り除く。
【００４８】
［架台下降工程］
上部架台２１ａ上に露出した煙突ａの解体が終了したら、昇降装置１０によって架台２１を所定高さ下降させる。詳細な方法としては、先ず、収縮した状態の下部シリンダ装置１２ａを伸張させることにより矩形リング１２ｂを拡大させて下部押圧部材１２ａ３を煙突ａの外壁ａ１から離間させる。次に、収縮した状態の連結シリンダ装置１３ａを伸張させて矩形リング１２ｂを下方に移動させる。次に、伸張した状態の下部シリンダ装置１２ａを収縮させることにより矩形リング１２ｂを縮小させて下部押圧部材１２ａ３によって煙突ａの外壁ａ１を押圧する。次に、収縮した状態の上部シリンダ装置１１ａを伸張させることにより上部押圧部材１１ａ３を煙突ａの外壁ａ１から離間させる。次に、伸張した状態の連結シリンダ装置１３ａを収縮させて架台２１を下降させる。次に、伸張した状態の上部シリンダ装置１１ａを収縮させて上部押圧部材１１ａ３によって煙突ａの外壁ａ１を押圧する。
【００４９】
そして［煙突解体工程］と［架台下降工程］とを所定回数繰り返すことにより、煙突ａを順次下方に解体していく。地上まで達したら解体工事を終了する。
【００５０】
本実施の形態によれば、以下のような効果を得ることができる。
【００５１】
▲１▼架台２１に一端が連結される連結シリンダ装置１３ａが、煙突ａの周方向に４本設けられる。そして、連結シリンダ装置１３ａの他端を互いに連結する４本の下部シリンダ装置１２ａによって、煙突ａが周囲から囲われる。そして、下部シリンダ装置１２ａが伸縮動作することで、これら４本の下部シリンダ装置１２ａと連結シリンダ装置１３ａとの連結部に鉄骨部材１２ａ５を介して取り付けられている下部押圧部材１２ａ３を、煙突ａの外壁ａ１に対して固定することが可能である。
すなわち、煙突ａ等の塔状構造物に対して架台を支持させるための支持装置を上部と下部とに備えた、いわゆる尺取虫方式の塔状構造物の解体装置において、下部の支持装置を、複数の下部シリンダ装置１２ａと下部押圧部材１２ａ３、鉄骨部材１２ａ５とで構成できる。そして、各下部シリンダ装置１２ａを伸縮動作させることで、下部押圧部材１２ａ３による煙突ａの外壁ａ１の押圧、および、前記外壁ａ１からの離間を行うことができる。したがって、下部の支持装置を、従来のように、煙突ａ等の塔状構造物に対して放射状に伸縮装置を配して構成する必要がなく、この場合における伸縮装置の破損が防止される。したがって、煙突ａ等の塔状構造物の解体を、その径の変化に対応しながら、従来に比して安定的に行うことができる。
【００５２】
なお、架台２１上に設置されたコンクリート圧砕機２２ａ、鉄筋切断機２２ｂによって、架台２１上に露出した煙突ａを解体することができるため、煙突ａの周囲に足場を構築する必要がない。また、架台２１が有する挿通部によって、架台２１の位置が略確定して安定するとともにコンクリート圧砕機２２ａ、鉄筋切断機２２ｂによって解体した解体物の落下範囲が限定される。
【００５３】
▲２▼４本の下部シリンダ装置１２ａは同期制御されるので、各下部シリンダ装置１２ａの伸縮長さを一定にして、下部押圧部材１２ａ３による煙突ａの外壁ａ１に対する固定をさらに安定的に行うことできる。
【００５４】
▲３▼下部シリンダ装置１２ａの伸縮動作が、ユニバーサルジョイント１３ｂ１、ピンジョイント１３ｃ１によって架台２１と下部シリンダ装置１２ａとに連結される連結シリンダ装置１３ａが傾倒することで安定的に行われる。したがって、下部押圧部材１２ａ３による煙突ａの外壁ａ１に対する固定をさらに安定的に行うことできる。
【００５５】
▲４▼上部押圧部材１１ａ３と下部押圧部材１２ａ３に形成された突起部１１ａ４、１２ａ４が煙突ａの外壁ａ１に食い込むことで、上部押圧部材１１ａ３や下部押圧部材１２ａ３による煙突ａの外壁ａ１に対する固定をさらに安定的に行うことできる。
【００５６】
▲５▼監視カメラ２４と遠隔操作装置を用いてコンクリート圧砕機２２ａ、鉄筋切断機２２ｂを遠隔操作することで煙突ａを解体できるため、作業員の高所作業がなくなり煙突ａの解体をさらに安定的に行うことができる。
【００５７】
▲６▼鋼管パイプ２３ａ、防音パネル２３ｂ、折板屋根２３ｃによって、コンクリート圧砕機２２ａ、鉄筋切断機２２ｂによって解体されて生じた解体物の架台２１からの飛散が防止されるとともに、解体作業において発生する振動音等の防音対策も行われる。したがって、煙突ａの解体をさらに安定的に行うことができる。
【００５８】
▲７▼コンクリート圧砕機２２ａによってコンクリートを粉砕し、鉄筋切断機２２ｂによって鉄筋を切断することで、鉄筋コンクリート構造である煙突ａを小割ブロックにして解体できるため、解体後に小割ブロックとする工程を省いて解体作業をより効率的に行うことができる。
【００５９】
なお、本発明は本実施例に限定されるものではなく、本発明の趣旨を逸脱しない範囲で任意の変更が可能である。
【００６０】
例えば、本実施の形態においては、上部支持装置１１と下部支持装置１２とのうち下部支持装置１２のみにおいて、本発明に係る矩形リング１２ｂを備えた構成とし、上部支持装置１１は従来の構成としている。しかしながら、上部支持装置１１と下部支持装置１２との双方において、矩形リング１２ｂを備えた構成としてもよい。
【００６１】
また、本実施の形態においては、図示しない遠隔操作装置を用いてコンクリート圧砕機２２ａ、鉄筋切断機２２ｂを遠隔操作して煙突ａを解体しているが、作業員が架台２１に載り込み、コンクリート圧砕機２２ａ、鉄筋切断機２２ｂを直接操作をしてもよい。
【００６２】
また、本実施の形態においては、解体手段をコンクリート圧砕機２２ａと鉄筋切断機２２ｂとによって構成しているが、他の施工機械によって解体手段を構成してもよい。
【００６３】
【発明の効果】
請求項１に記載の発明によれば、塔状構造物に対して架台を支持させるための支持装置を上部と下部とに備えた、いわゆる尺取虫方式の塔状構造物の解体装置において、下部の支持装置を、複数の前記横方向伸縮動作手段と前記固定部材とで構成できる。そして、各横方向伸縮動作手段を伸縮動作させることで、前記固定部材による塔状構造物の外壁の押圧、および、前記外壁からの離間を行うことができる。したがって、下部の支持装置を、従来のように、塔状構造物に対して放射状に伸縮装置を配して構成する必要がなく、この場合における伸縮装置の破損が防止される。したがって、塔状構造物の解体を、その径の変化に対応しながら、従来に比して安定的に行うことができる。
【００６４】
請求項２に記載の発明によれば、請求項１に記載の発明と同様の効果を得られることは勿論のこと、前記複数の横方向伸縮動作手段は、同期制御されるので、各横方向伸縮動作手段の伸縮長さを一定にして、前記固定部材による塔状構造物の外壁に対する固定をさらに安定的に行うことできる。
【００６５】
請求項３に記載の発明によれば、請求項１または請求項２に記載の発明と同様の効果を得られることは勿論のこと、前記横方向伸縮動作手段の伸縮動作が、前記屈曲可能な継手によって前記架台または前記支持手段と前記横方向伸縮動作手段とに連結される連結シリンダが傾倒することで安定的に行われる。したがって、前記固定部材による塔状構造物の外壁に対する固定をさらに安定的に行うことできる。
【００６６】
請求項４に記載の発明によれば、請求項１〜請求項３のいずれか一項に記載の発明と同様の効果を得られることは勿論のこと、前記支持部材と前記固定部材に形成された前記突起部が前記外壁に食い込むことで、前記支持部材や前記固定部材による塔状構造物の外壁に対する固定をさらに安定的に行うことできる。
【００６７】
請求項５に記載の発明によれば、請求項１〜請求項４のいずれか一項に記載の発明と同様の効果を得られることは勿論のこと、前記監視手段と前記遠隔操作装置とを用いて前記解体手段を遠隔操作することで前記塔状構造物を解体できるため、作業員の高所作業がなくなり塔状構造物の解体をさらに安定的に行うことができる。
【００６８】
請求項６に記載の発明によれば、請求項１〜請求項５のいずれか一項に記載の発明と同様の効果を得られることは勿論のこと、前記カバー部材によって、前記解体手段によって解体されて生じた解体物の前記架台からの飛散が防止されるとともに、解体作業において発生する振動音等の防音対策も行われる。したがって、塔状構造物の解体をさらに安定的に行うことができる。
【００６９】
請求項７に記載の発明によれば、請求項１〜請求項６のいずれか一項に記載の発明と同様の効果を得られることは勿論のこと、前記コンクリート粉砕手段によってコンクリートを粉砕し、前記鉄筋切断手段によって鉄筋を切断することで、塔状構造物である鉄筋コンクリート構造の煙突を小割ブロックにして解体できる。すなわち、煙突の解体後に小割ブロックとする工程を省いて煙突の解体作業をより効率的に行うことができる。
【図面の簡単な説明】
【図１】本発明である塔状構造物の解体装置による煙突の解体状況を示す側面図である。
【図２】本発明に係る昇降装置の上部押圧装置を示す平断面図である。
【図３】本発明に係る昇降装置の下部押圧装置を示す平断面図である。
【図４】本発明に係る昇降装置の押圧部材を示す断面図である。
【図５】従来の昇降装置におけるシリンダ装置の配置例を示す平断面図である。
【符号の説明】
１１            上部支持装置
１１ａ        上部シリンダ装置（支持手段）
１１ａ１    シリンダ
１１ａ２    ピストン
１１ａ３    上部押圧部材（支持部材）
１１ａ４    突起部
１２            下部支持装置
１２ａ        下部シリンダ装置（横方向伸縮動作手段）
１２ａ１    シリンダ
１２ａ２    ピストン
１２ａ３    下部押圧部材（固定部材）
１２ａ４    突起部
１３            連結伸縮装置
１３ａ        連結シリンダ装置（上下方向伸縮動作手段）
１３ａ１    シリンダ
１３ａ２    ピストン
１３ｂ        上部連結部
１３ｂ１    ユニバーサルジョイント
１３ｃ        下部連結部
１３ｃ１    ピンジョイント
２０            解体装置
２１            架台
２１ａ      上部架台
２１ｂ      下部架台
２２ａ      コンクリート圧砕機（解体手段）
２２ｂ      鉄筋切断機（解体手段）
２３            カバー部材
２４            監視カメラ（監視手段）
ａ              煙突（塔状構造物）
ａ１          外壁
【図１】
0003686634.tif 000002
【図２】
0003686634.tif 000003
【図３】
0003686634.tif 000004
【図４】
0003686634.tif 000005
【図５】
0003686634.tif 000006